(57)【要約】【課題】運転手が前方と後方のどの画像なのか判断し易く、構造が簡単なヘルメット鍔のバックミラーを提供する。【解決手段】  鍔と、鍔の後方に第一鏡が設けられ、鍔の前方に設けられた第二鏡とを具えた２つの反射鏡と、を含んでなり、第一鏡に映し出された後方の画像が第二鏡に反射され、第二鏡に映し出された後方の画像が運転手の目に反射されて鍔がバックミラーの作用を具えてなる構造である。【選択図】図１
2009029342.tif 000002
【特許請求の範囲】
【請求項１】
鍔と、
鍔の後方に第一鏡が設けられ、鍔の前方に設けられた第二鏡とを具えた２つの反射鏡と、を含んでなり、第一鏡に映し出された後方の画像が第二鏡に反射され、第二鏡に映し出された後方の画像が運転手の目に反射されて鍔がバックミラーの作用を具えてなる構造であることを特徴とするヘルメットの鍔のバックミラー。
【請求項２】
前記反射鏡が固定部材で鍔上に固定されることを特徴とする請求項１に記載のヘルメットの鍔のバックミラー。
【請求項３】
前記固定部材が鍔と一体に成型されることを特徴とする請求項２に記載のヘルメットの鍔のバックミラー。
【請求項４】
前記鍔の両側にそれぞれ孔が設けられ、鍔をネジでヘルメットの両側のネジ孔に固定することを特徴とする請求項１に記載のヘルメットの鍔のバックミラー。
【請求項５】
前記鍔の下方に設けられた固定板が、鍔と連結して固定し、該固定板が表面に複数の固定部材を設けてなり、鍔を固定板を介して前方上方端縁部に複数の固定部材を具えたヘルメットに固定されることを特徴とする請求項１に記載のヘルメットの鍔のバックミラー。
【請求項６】
前記鍔上には複数の固定部材が設けられ、鍔を前方上方端縁部に複数の固定部材を具えたヘルメットに固定することを特徴とする請求項１に記載のヘルメットの鍔のバックミラー。
【請求項７】
前記第二鏡がシールドに移動できることを特徴とする請求項１に記載のヘルメットの鍔のバックミラー。
【請求項８】
前記鍔が後方に透明の隔離片を設けることを特徴とする請求項１に記載のヘルメットの鍔のバックミラー。
【発明の詳細な説明】
【技術分野】
【０００１】
この発明は、ヘルメットの鍔のバックミラーに関し、特に運転しながら後方を確認できるヘルメットの鍔のバックミラーに関する。
【背景技術】
【０００２】
従来のヘルメットは図７に開示するように、ヘルメット５と、鍔３と、シールド８とを含んでなる。該ヘルメットは両側にそれぞれネジ孔を設けてなる。該鍔は両側にそれぞれヘルメットの両側に設けられたネジ孔に対応する位置に孔４を形成する。
【０００３】
よって、鍔とシールドは共にネジでヘルメットの両側に設けられた孔に穿設することができる。また、該鍔とヘルメットとの間には空間が形成されるため、シールドを上方に移動させると、空間に位置する。
【０００４】
市場で販売されているヘルメットは、ヘルメットと、つばと、該ヘルメットの前方上方端縁部に設けられた固定ボタン（通常３つ設けられる）とを含んでなる。該つばはヘルメット前方上方端縁部に設けられた固定ボタンに対応する位置に固定ボタンを設けてなり、ヘルメットの固定ボタンとつばの固定ボタンとを合わせてつばをヘルメットに固定することができる。
【０００５】
この発明者が出願した日本国実用新案登録番号実願２００７−００１６６５号公報の「ヘルメットのつば」は、つばと、該つばの下方に設けられた固定板とを含んでなり利用し、該固定板が、つばに連結、固定される。
【０００６】
該連結固定の方法は、一体成型、粘着、挟持、釘などで穿設する、固定ボタンで嵌合する、係合する、挿設する、ネジで螺接するなどがある。
【０００７】
しかしながら、固定板上には複数の固定部材（固定ボタン、或いはオス・メス二つの頭を具えた固定ボタン、或いは孔）が設けられ、該複数の固定部材はヘルメットの前方上方端縁部に対応する位置に複数の固定部材（固定ボタン、或いはネジ孔）が設けられる。
【０００８】
よって、つばは、下方に設けられた固定板を通してヘルメットの前方上方端縁部に固定される。
【０００９】
市場で販売されているヘルメットは図８に開示するように、ヘルメット９と、３つの反射鏡（第一鏡１１、第二鏡１２、第三鏡１３）と、該ヘルメットの上部に設けられた軌道１０と、を含んでなる。
【００１０】
該３つの反射鏡は直線方向に排列して起動内の最も高い部分に設けられ、第一鏡は軌道の最も高い部分の後部に設ける。第三鏡は軌道内の最も高い部分の前方に設けられ、第二鏡は軌道内の最も高い部分の第一鏡と第二鏡との間に設けられる。
【００１１】
よって、第一鏡は後方の状況の画像を反射して第二鏡に映し、第二鏡が後方の状況の画像を反射して第三鏡に映し出す。その後、第三鏡は後方の状況の画像を反射し、使用者が目で後方の状況を確認することができるとともに、ヘルメットが後方を確認する機能を具える。
【００１２】
また、３つの反射鏡で連続して３回反射させるため、運転手が確認する後方の画像は、上下や左右が反対になることなく、実際に目で確認した時のように正しい方向の映像になる。
【００１３】
しかしながら、上述の３つの反射鏡は、軌道内の後方に設けられた第一鏡１１が、後方の画像を前方に反射させるために適宜な傾斜角度を必要とする。第二鏡１２は、第一鏡の前方下方の反射線上に位置するように設けなければ第一鏡の反射画像を受けることができない。また、第三鏡１３は、第二鏡の反射線上に位置するように設けなければ第二鏡の反射画像を受けることができない。
【００１４】
反射線は、それぞれの反射鏡を介して内方向に屈折反射するため、反射鏡が多くなるほど反射鏡の排列の形状が内側に湾曲する。よって、３つの反射鏡の排列の湾曲の形状は比較的湾曲度の比較的大きなヘルメットに設けるために適している。
【００１５】
また、上述の３つの反射鏡に反射されて映し出される画像は、上下や左右が逆になることなく実際に目で確認した時と同じように正しい方向で映し出される画像になる。即ち、使用者は目で反射鏡（第三鏡１３）上に映された正しい方向の後方の画像を確認することができる。
【００１６】
反射鏡（第三鏡１３）は、使用者が実際に目（拡大作用を具える）で確認する映像に近似しているため、使用者の目の前には２つの映像が出現する。つまり、一つは運転手が実際に確認した前方の映像で、二つ目は後方の反射映像である。
【００１７】
上述の２つの映像がいずれも左右や上下が正しい方向の映像である場合、運転手は目の前の２つの映像が前方と後方のどちらの映像なのか混乱して錯覚することがある。例えば、１台の車が後方から急速に接近してきている時、運転手が注意不足で後方から来た車を前方から来る車だと勘違いして、急ブレーキをかけて後方の車両が衝突するなどの事故を起こし易いなど車両の走行の安全に影響を与える。
【００１８】
ヘルメットの表面の上部に設けられた軌道は、内側の最も高さの高い部分に３つの反射鏡を設けてなる。よって、製造、生産上の難しさが比較的高いとともに、ヘルメットの型を再度製作して、デザインをし直さなければならない。
【００１９】
よって、製品の開発への投資コストが比較的高くなるとともに、一部損壊した場合にはヘルメット全体を交換しなければならないため、経済的でない。
【発明の開示】
【発明が解決しようとする課題】
【００２０】
この発明は、運転手が前方と後方のどの画像なのか判断し易く、構造が簡単なヘルメット鍔のバックミラーを提供することを課題とする。
【課題を解決するための手段】
【００２１】
そこで、本発明の発明者は従来の技術に見られる欠点に鑑みて鋭意研究を重ねた結果、鍔と、鍔の後方に第一鏡が設けられ、鍔の前方に設けられた第二鏡とを具えた２つの反射鏡と、を含んでなり、第一鏡に映し出された後方の画像が第二鏡に反射され、第二鏡に映し出された後方の画像が運転手の目に反射されて鍔がバックミラーの作用を具えてなる構造からなる。
【００２２】
以下、この発明について具体的に説明する。
請求項１に記載するヘルメット鍔のバックミラーは、鍔と、
鍔の後方に第一鏡が設けられ、鍔の前方に設けられた第二鏡とを具えた２つの反射鏡と、を含んでなり、第一鏡に映し出された後方の画像が第二鏡に反射され、第二鏡に映し出された後方の画像が運転手の目に反射されて鍔がバックミラーの作用を具えてなる構造である。
【００２３】
請求項２に記載するヘルメットの鍔のバックミラーは、請求項１における反射鏡が固定部材で鍔上に固定される。
【００２４】
請求項３に記載するヘルメットの鍔のバックミラーは、請求項２における固定部材が鍔と一体に成型される。
【００２５】
請求項４に記載するヘルメットの鍔のバックミラーは、請求項１における鍔の両側にそれぞれ孔が設けられ、鍔をネジでヘルメットの両側のネジ孔に固定する。
【００２６】
請求項５に記載するヘルメットの鍔のバックミラーは、請求項１における鍔の下方に設けられた固定板が、鍔と連結して固定し、該固定板が表面に複数の固定部材を設けてなり、鍔を固定板を介して前方上方端縁部に複数の固定部材を具えたヘルメットに固定される。
【００２７】
請求項６に記載するヘルメットの鍔のバックミラーは、請求項１における鍔上には複数の固定部材が設けられ、鍔を前方上方端縁部に複数の固定部材を具えたヘルメットに固定する。
【００２８】
請求項７に記載するヘルメットの鍔のバックミラーは、請求項１における第二鏡がシールドに移動できる。
【００２９】
請求項８に記載するヘルメットの鍔のバックミラーは、請求項１における鍔が後方に透明の隔離片を設ける。
【発明の効果】
【００３０】
この発明のヘルメットの鍔のバックミラーは、運転手が前方と後方の画像とを見誤ることがないため、走行の安全性を高めるという効果を有する。
【００３１】
また、この発明のヘルメットの鍔のバックミラーは、構造が簡単で量産に適しているため、コストを抑えるという効果を有する。
【発明を実施するための最良の形態】
【００３２】
この発明は、運転手が前方と後方のどの画像なのか判断し易く、構造が簡単なヘルメット鍔のバックミラーであって、鍔と、鍔の後方に第一鏡が設けられ、鍔の前方に設けられた第二鏡とを具えた２つの反射鏡と、を含んでなり、第一鏡に映し出された後方の画像が第二鏡に反射され、第二鏡に映し出された後方の画像が運転手の目に反射されて鍔がバックミラーの作用を具えてなる構造からなる。
かかるヘルメットの鍔のバックミラーの構造と特徴を詳述するために具体的な実施例を挙げ、図示を参照にして以下に説明する。
【実施例】
【００３３】
この発明のヘルメットの鍔のバックミラーは、鍔と、２つの反射鏡と、を含んでなり、該２つの反射鏡の第一鏡は鍔の後方に設けられ、第二鏡は鍔の前方に設けられる。
【００３４】
よって、第一鏡に映し出された後方の画像が第二鏡上に反射され、第二鏡に後方の画像が映し出され、該画像が運転手の目に映るため、ヘルメットの鍔が後方の状況を確認することができる。
【００３５】
反射鏡は、固定部材を介して鍔上に固定される。該固定部材は、鍔と一体に成型される。
【００３６】
鍔の両側にはそれぞれ孔が形成される。よって、鍔はネジなどで両側にネジ孔を設けてなるヘルメット上に固定することができる。
【００３７】
鍔の下方には固定板が設けられる。該固定板及び鍔は連結して固定される。該固定板上には複数の固定部材が設けられるため、鍔を固定板を介して前方上方端縁部に複数の固定部材を具えたヘルメット上に固定することができる。
【００３８】
鍔上、或いはヘルメット上にシールドを設ける場合、第二鏡をシールドに移動することができる。
【００３９】
また、鍔は後方に透明の隔離片を設けて、雨や汚れなどを防ぐことができる。
【００４０】
図１から図３に開示するように、この発明は、鍔３と、２つの反射鏡１、２とを含んでなる。該鍔は両側のヘルメットの本体５両側に形成されたネジ孔に対応する位置に孔４を形成し、ネジを孔に穿設してヘルメットに固定する。
【００４１】
２つの反射鏡の第一鏡１は、鍔の後方に設けられ、第二鏡２は、鍔の前方に設ける。よって、第一鏡に映し出された後方の画像は、第二鏡に反射され、第二鏡に映し出された画像が運転手の目に反射される。よって、鍔が後方の状態を確認できるバックミラーの作用を具えてなる。
【００４２】
図４、図５に開示するように、この発明は、鍔３と２つの反射鏡１、２と、該鍔の下方に設けられた固定板６とを含んでなる。
【００４３】
該固定板は鍔と連結固定され、表面に複数の固定部材７（固定ボタン、或いはオス、メス２つのヘッドを具えた固定ボタン、或いは孔）を設けてなる。
【００４４】
該複数の固定部材は、ヘルメット５の前方上方端縁部の複数の固定部材（固定ボタン、或いはネジ孔）に対応する位置に設けられ、鍔をその下方に設けられた固定板でヘルメットの前方上方端縁部に固定することができる。
【００４５】
該２つの反射鏡の第一鏡１は、鍔の後方に設けられ、第二鏡２が鍔の前方に設けられる。よって、第一鏡が後方の状態を映し出し、その画像が第二鏡上に反射される。該第二鏡に映し出された後方の画像が運転手の目に反射されるため、鍔が後方を確認するバックミラーの作用を具えてなる。
【００４６】
この発明の反射鏡は、固定部材（板、片、フレーム、枠など）を介して鍔に固定する。固定部材を介して固定する理由は、１．鍔が弧を描く形状であるか、或いは他の要素で反射鏡を固定し難い、２．量産の簡易性を高めるため、３．発明の構造の固定力を強めるため、４．・・・などである。
【００４７】
固定部材は鍔から延伸して形成（一体に成型）し、反射鏡を形成（粘着、挟持、釘などで固定、係合、挿設、電気めっきなど）するか、或いは固定部材上に反射鏡を形成後（粘着、挟持、釘などで固定、係合、挿設、電気めっきなど）、再び固定部材を鍔上に固定（粘着、挟持、釘などで固定、係合、挿設、電気めっきなど）する。
【００４８】
この発明の鍔は、反射鏡を設ける必要性に基づいてその形態、或いは形状を変更する。
【００４９】
この発明の反射鏡は粘着、挟持、釘などで固定、係合、挿設、電気めっき、一体成型などの方法で鍔上に固定し、反射角度を調整する機能を具えてなる。また、該反射鏡は、必要に応じて、平面、凸面、或いは凹面の反射鏡を選択することができる。
【００５０】
鍔上、或いはヘルメット上にはシールドを設けてもよい。該シールドの固定方法は、
１．図６に開示するように、鍔３の両側にそれぞれ孔４が設けられる。シールド８の両側にもそれぞれ孔が設けられ、鍔とシールドの孔の位置を合わせ、該孔とヘルメット５の両側に形成されたネジ孔の位置とを合わせてネジを螺設して鍔とシールドをヘルメット５に固定する。
２．シールドは両側にそれぞれ回動部材（釘、螺子など）を設けてシールドの両側に固定する。
３．シールドは直接、或いは間接的に複数の固定部材（固定ボタン、孔など）を利用してヘルメットの下方に設けられた固定板上に固定する。
【００５１】
また、前述のように、鍔上、或いはヘルメット上にシールドを設ける場合、第二鏡をシールド上に移動することができる。
【００５２】
この発明は様々な類似する作用を具えたヘルメットの鍔に適用することができる。
【００５３】
この発明において、従来の製品と異なる点は、ヘルメットが異なり、反射鏡を設ける位置も異なる。従来の製品では、ヘルメットの外側が本体であって、該ヘルメットの外側の上部に軌道を設ける。反射鏡はヘルメット上部に設けられた軌道内に設ける。しかしながら、この発明では、ヘルメットの鍔を本体として、反射鏡は鍔に設けられる。
【００５４】
２つの反射鏡と３つの反射鏡の構造が異なる。従来の製品では、３つの反射鏡を利用して後方の状態の画像を３回反射させて左右、上下が正しい方向の画像を形成した。この発明では２つの反射鏡を利用して後方の状態の画像を２回反射させて、上下が逆さになった画像を形成する。
【００５５】
即ち、構造上、２つの反射鏡と３つの反射鏡とで異なり、反射方法上でも、２回の反射と３回の反射で異なり、反射の画像でも、逆さの画像と正しい方向の画像とで異なるため、２つの反射鏡と３つの反射鏡とでは大きな差を有する。
【００５６】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の請求の範囲に属するものとする。
【図面の簡単な説明】
【００５７】
【図１】この発明のヘルメットの鍔のバックミラーの実施形態を示した説明図である。
【図２】この発明のヘルメットの鍔のバックミラーの使用状態を示した説明図である。
【図３】この発明のヘルメットの鍔のバックミラーの使用状態を示した斜視図である。
【図４】この発明のヘルメットの鍔のバックミラーの他の実施形態を示した説明図である。
【図５】この発明のヘルメットの鍔のバックミラーの他の実施形態の使用状態を示した説明図である。
【図６】この発明のヘルメットの鍔のバックミラーのその他の実施形態の使用状態を示した説明図である
【図７】従来のヘルメットのバックミラーを示した説明図である。
【図８】従来のヘルメットのバックミラーを示した説明図である。
【符号の説明】
【００５８】
１     第一鏡
２     第二鏡
３     鍔
４     孔
５     ヘルメット
６     固定板
７     固定部材
８     シールド
９     ヘルメット
１０   軌道
１１   第一鏡
１２   第二鏡
１３   第三鏡
【図１】
2009029342.tif 000003
【図２】
2009029342.tif 000004
【図３】
2009029342.tif 000005
【図４】
2009029342.tif 000006
【図５】
2009029342.tif 000007
【図６】
2009029342.tif 000008
【図７】
2009029342.tif 000009
【図８】
2009029342.tif 000010